(57)【要約】      （修正有）【課題】荷物を積み下ろしする際にユニック、パワーシャベル、天井クレーンにグラップルを吊り下げて、油圧ポンプのバルブ操作によりグラップルの爪で荷物を把持して運搬し、作業者が玉掛けをすることなく効率的に積み下ろしすることを可能とするユニグラップルを提供する。【解決手段】基台１の上部に油圧ポンプ２と、油圧ポンプを駆動する動力となるモーター若しくはエンジン４を設け、基台下方にヒンジ部を介して把持部８を設け、前記油圧ポンプをバルブ操作することにより爪６が開閉するようにしたバランスの良いユニグラップルであり、把持部８には爪開閉用油圧シリンダー５を設けて爪６を開閉して、爪で荷物の側面を把持する。【選択図】図１
0003153520.tif 000002
【実用新案登録請求の範囲】
【請求項１】
基台の上部に吊り下げ部を設け、油圧ポンプとこれを駆動する動力を基台上に搭載して荷物の把持部を設けている吊り下げ式のユニグラップル本体において、基台上部に油圧ポンプと油圧ポンプを駆動する動力を設けて、基台下方に設けた前記把持部には挟み動く左右の爪と爪を開閉する爪開閉用油圧シリンダーを設けて前記基台に設けた油圧ポンプのバルブを操作することにより把持部を作動し、爪開閉用油圧シリンダーを作動して爪で荷物を把持することを特徴とするユニグラップル。
【請求項２】
請求項１に記載の基台上部に設けた油圧ポンプを駆動する動力は、エンジン又はモーターであることを特徴とするユニグラップル。
【請求項３】
請求項１に記載の基台上部に設けた動力により駆動される油圧ポンプのバルブを操作することにより作動する基台下方の把持部をヒンジ部を介して設けたことを特徴とするユニグラップル。
【考案の詳細な説明】
【技術分野】
【０００１】
本考案は、荷物を積み下ろしする際にユニック（登録商標）、パワーシャベル、天井クレーンにユニグラッフルを吊り下げて、荷物を挟んで吊り下げやすく、迅速に積み下ろしするために能率的な補助具であり、一人であっても玉掛けをする必要がなく運搬や積み下ろしが効率的に出来るように工夫された運搬補助装置に関するものである。
【背景技術】
【０００２】
特許文献１−４に示されているグラップルは、作業機の荷物の積み下ろし装置の中で荷物に玉掛けをする必要なく、運転席からレバー操作により荷物の側面に爪を掛けて吊り下げることが出来る利点があるので、作業機のビームに取り付けた把持部として実用化されている。
実用の把持部は、作業機の上から指示を入力する際レバーを操作して荷物の両側面を爪で挟んで、運搬するものである。
作業機の運転席からレバー操作して荷物の側面をグラップルで把持する場合は、運転席から油圧ポンプを使って爪を開閉させて把持し運搬する上で実用上十分であった。
【０００３】
しかし、ユニック、パワーシャベル、天井クレーンを利用してグラップルを吊り下げて運搬に供するときには、これらの機器に吊り下げられるグラップル本体にグラップルの爪を開閉する油圧ポンプとエンジン若しくはモーターによる動力を搭載して、前記油圧ポンプのバルブ操作で荷物の把持をすることが出来るようにしたグラップル本体が必要になる。前記グラップル本体に設けた動力により作動させる油圧ポンプと系統的に一体に構成してある油圧シリンダーによって、油圧ポンプのバルブ操作により爪を開閉する機能を備えている必要がある。
【０００４】
鋼材や木材の重量物の運搬、積み下ろしをする際にユニック、パワーシャベル、天井クレーン等の機器を利用して行われる場合、荷物を玉掛けすることが不可欠である。荷物を運搬、積み下ろしする用途において、玉掛け作業は運搬効率に関して大きな障害である。具体的には、玉掛け作業に長時間要し、作業効率が低下する問題があった。
【先行技術文献】
【特許文献】
【０００５】
【特許文献１】特開２００１−９６１８５号公報
【特許文献２】特開平１０−２２６４８６号公報
【特許文献３】特開平１０−２９９０号公報
【特許文献４】特開２００１３−９６１８５号公報
【考案の概要】
【考案が解決しようとする課題】
【０００６】
解決しようとする問題点は、荷物を積み下ろしする際にユニック、パワーシャベル、天井クレーンにより荷物を吊り下げる場合には荷物に玉掛けを施して吊り下げて運搬することが必要になり、荷物に対して玉掛けを施すために多くの作業時間をかけて行わなければならず、玉掛け作業の効率が悪いために、運搬作業の能率を著しく低下させる原因になっていた。  
従来のグラップルは、油圧ポンプと動力を重機に搭載して運転席からレバーを操作して荷物を把持するようにしたものであり、このためにグラップル本体に動力と油圧ポンプを搭載してバルブ操作により油圧シリンダーで爪を開閉し、グラップルの爪で荷物を挟んで運搬できないものであったので、ユニック、パワーシャベル、天井クレーンにより使用することはできなかった点である。  
これに対してグラップル本体に設けた動力により油圧ポンプのバルブを操作して爪をバルブ操作で開閉できるようにしたグラップルをつり具式にして、ユニック、パワーシャベル、天井クレーンにも適用できるユニグラップルを開発しようとする。
【課題を解決するための手段】
【０００７】
本考案は、基台の上部に吊り下げ部を設け、油圧ポンプとこれを駆動する動力としてエンジン又はモーターを基台上部に搭載しその基台下方に把持部を設けている吊り下げ式のユニグラップルである。動力により駆動される油圧ポンプのバルブを操作することにより爪開閉用の油圧シリンダーを作動させて、爪により荷物の側面を把持する操作を行うことが出来るようにグラップル自体を系統的に一体に統一したものであり、油圧ポンプのバルブ操作でグラップルの爪を開閉して荷物の側面を把持して運搬することを可能とする。このため、油圧ポンプの駆動源の動力となるエンジン又はモーターと油圧ポンプを基台上部に設けて、基台下方にヒンジ部を介して把持部を設け、把持部には挟み動く左右の爪と爪を開閉する爪開閉用油圧シリンダーを設けてある。このような統一的な構成によりユニグラップルは前記基台に設けた油圧ポンプのバルブを操作することにより爪開閉用油圧シリンダーを作動させて荷物を把持するようにしたことを最も主要な特徴とする。
【考案の効果】
【０００８】
本考案のユニグラップルは、吊り下げ式の基台上部に設けた動力とエンジン又はモーターにより駆動される油圧ポンプを設けて、基台下方にヒンジ部を介して設けた把持部と動力及び油圧ポンプを一体的に構成し、基台上部の油圧ポンプのバルブ操作により把持部に設けた爪開閉用油圧シリンダーを作動して、爪を開閉して爪で荷物を把持できるようにした。
このようにして動力により駆動される油圧ポンプのバルブを操作することにより把持部を作動するように一体的に構成した本考案の実施例装置は、ユニック、パワーシャベル、天井クレーンのいずれの機器にも、吊り下げて使用することが出来るようになったものである。本考案の実施例は、玉掛けをしなくてもよく、爪で被運搬物の側面を把持して荷物を能率的に運搬できるという利点がある。
【図面の簡単な説明】
【０００９】
【図１】ユニグラップルの実施方法を示した正面図である。（実施例１）
【図２】ユニグラップルの実施方法を示した側面図である。（実施例１）
【実施例１】
【００１０】
図１は、本考案装置の１実施例の正面図であって、１〜６は、図２と同様である。また、７はヒンジ部、８は把持部である。
【００１１】
本考案は、吊り下げ式であり、グラップル本体の把持部の爪で荷物を把持して運搬することを可能とするため、基台１上部に吊り下げ具３を設け、その基台上には動力４を設け、その動力としてエンジン又はモーターを設けてその動力により駆動される油圧ポンプ２を設けて、基台１下方にヒンジ部７を介して把持部８を設けた。把持部８に爪開閉用油圧シリンダー５と開閉する爪６を設けて、前記の油圧ポンプ２をバルブ操作することにより、油圧シリンダー５により爪６を開閉して荷物の側面を把持することができるようにしたことを最も主要な特徴とする。
【００１２】
本考案のユニグラップルは、基台１の上部に吊り下げ部３とエンジン又はモーターの動力４と油圧ポンプ２を設けた吊り下げ式である。その基台１の下方にヒンジ部７を介して把持部８を設けたので上部に設けた動力により駆動される油圧ポンプ２のバルブ操作のみにより、グラップル自体の油圧ポンプで爪開閉用の油圧シリンダー５を作動して爪６で荷物の側面を把持できるようにしたので、爪に挟まれた荷物の重心が中心に無いときにヒンジ部の下方部が傾向いて荷物のバランスを保持できる。このために安定的に爪で被運搬物の側面を把持して荷物の運搬に使用できる。
このような構成にした結果、従来手作業で行われていた玉掛け作業に要する時間は大幅に短縮され、能率的に運搬作業を行うことが出来る。
【産業上の利用可能性】
【００１３】
本考案のユニグラップルは、ユニック、パワーシャベル、天井クレーンに本考案の実施例装置を吊り下げて使用されるものであり、回し吊りして各機器のいずれにも適用できるし、玉掛け作業をしなくても荷物の運搬が可能であり、前記の機器を使用して被運搬物の側面の把持が不可欠な鋼材や木材の運搬、積み下ろし、等の重量物運搬の用途にも適用できる。
【符号の説明】
【００１４】
１    基台
２    油圧ポンプ
３    吊り下げ具
４    動力（エンジン又はモーター）
５    爪開閉用油圧シリンダー
６    爪
７    ヒンジ部
８    把持部
【図１】
0003153520.tif 000003
【図２】
0003153520.tif 000004
【手続補正書】
【提出日】平成21年7月3日(2009.7.3)
【手続補正１】
【補正対象書類名】実用新案登録請求の範囲
【補正対象項目名】全文
【補正方法】変更
【補正の内容】
【実用新案登録請求の範囲】
【請求項１】
基台の上部に吊り下げ部を設け、油圧ポンプとこれを駆動する動力を基台上部に搭載して荷物の把持部を設けている吊り下げ式のユニグラップル本体において、基台上部に油圧ポンプと油圧ポンプを駆動する動力を設けて、基台下方に設けた前記把持部には挟み動く左右の爪と爪を開閉する爪開閉用油圧シリンダーを設けて前記基台に設けた油圧ポンプのバルブを操作することにより把持部を作動し、爪開閉用油圧シリンダーを作動して爪で荷物を把持することを特徴とするユニグラップル。
【請求項２】
基台上部に設けた油圧ポンプを駆動する動力は、エンジン又はモーターであることを特徴とする請求項１に記載のユニグラップル。
【請求項３】
基台上部に設けた動力により駆動される油圧ポンプのバルブを操作することにより作動する基台下方の把持部をヒンジ部を介して設けたことを特徴とする請求項１に記載のユニグラップル。